(57)【特許請求の範囲】
【請求項１】
それぞれのアンテナ入力端子から入力される受信信号にそれぞれ所定の処理を施してこの処理後の信号を出力する複数の受信回路と、これら各受信回路それぞれの出力信号が入力され、これら各出力信号を切替または合成して出力する信号出力部と、を備えたダイバシティ受信機において、
電源制御信号が与えられ、この電源制御信号に従って、上記全ての受信回路に対してそれぞれの駆動電源を供給する第１の状態と、上記各受信回路のうち少なくとも所定の受信回路に対してその駆動電源を供給し、この所定の受信回路以外の受信回路に対してそれぞれの駆動電源の一部または全部を非供給とする第２の状態と、のいずれか一方の状態になる電源供給部と、
上記各受信信号の各信号レベルをそれぞれ検出するレベル検出部と、
このレベル検出部によって検出して得た各受信信号の各信号レベルと予め定めた基準レベルとを比較して、上記各受信信号のうち上記基準レベルよりもレベルの大きいものが少なくとも１以上あるとき、上記電源供給部を上記第１の状態とするよう上記電源制御信号を生成し、上記各受信信号の各信号レベルがいずれも上記基準レベル以下であるとき、上記電源供給部を上記第２の状態とするよう上記電源制御信号を生成する電源制御部と、
上記各受信信号のうち上記基準レベルよりもレベルの大きいものが１以上存在する状態から、上記各受信信号の各信号レベルが全て上記基準レベル以下になったとき、上記電源制御部が、上記電源制御信号として上記電源供給部を上記第１の状態とする信号を生成している状態から上記電源供給部を上記第２の状態とする信号を生成するのを所定の時間だけ遅延させる遅延手段と、
を具備し、
上記所定の時間内に、上記各受信信号の各信号レベルのうち少なくとも１以上のものが上記基準レベルを越えたとき、上記電源制御部が、上記電源制御信号として上記電源供給部を上記第１の状態とする信号を継続して生成する状態に構成された、
ダイバシティ受信機。
【請求項２】
上記ダイバシティ受信機が、上記信号出力部から出力される信号を処理する処理部を有し、
上記電源供給部が、上記第１の状態にあるとき、上記処理部に対してその駆動電源を供給し、上記第２の状態にあるとき、上記処理部に対してその駆動電源の一部または全部を非供給とする状態に構成された請求項１に記載のダイバシティ受信機。
【請求項３】
上記レベル検出部が、上記所定の受信回路に入力される上記受信信号の信号レベルを検出する際、この所定の受信回路の信号出力端部よりも上記アンテナ入力端子側の位置で、上記受信信号の信号レベルを検出する状態に構成され、
上記電源供給部が、上記第２の状態にあるとき、上記所定の受信回路における上記レベル検出部による上記受信信号のレベル検出位置よりも該所定の受信回路の信号出力端部側の部分に対しても、その駆動電源を非供給とする状態に構成された請求項１または２に記載のダイバシティ受信機。
【請求項４】
上記各受信回路が、それぞれ、上記アンテナ入力端子から入力される受信信号を可聴周波信号に変換し、この変換して得た可聴周波信号をそれぞれの出力信号として上記信号出力部に入力する状態に構成された請求項１、２または３に記載のダイバシティ受信機。
【請求項５】
上記各受信回路が、それぞれ、上記アンテナ入力端子から入力される受信信号を局部発振信号と混合して中間周波信号に変換する周波数変換部を備え、この周波数変換部によって変換して得た上記中間周波信号をそれぞれの出力信号として上記信号出力部に入力する状態に構成された請求項１、２または３に記載のダイバシティ受信機。
【請求項６】
上記各受信回路が、それぞれ、上記アンテナ入力端子から入力される受信信号を局部発振信号と混合して中間周波信号に変換する周波数変換部と、上記中間周波信号を検波して可聴周波信号を出力する検波部とを備え、この検波部によって検波して得た上記可聴周波信号をそれぞれの出力信号として上記信号出力部に入力する状態に構成された請求項１、２または３に記載のダイバシティ受信機。
【請求項７】
上記各受信回路が、それぞれ、上記アンテナ入力端子から入力される受信信号を増幅する高周波増幅部を備え、この高周波増幅部によって増幅して得た信号をそれぞれの出力信号として上記信号出力部に入力する状態に構成された請求項１、２または３に記載のダイバシティ受信機。
【発明の詳細な説明】
【０００１】
【発明の属する技術分野】
本発明は、送信機から送られてくる電波を、それぞれ空間的に離して配置された複数の受信アンテナで受信することによって、フェージング等の影響を軽減する所謂空間ダイバシティ（Space Diversity ）方式の受信機に関し、特に受信機自体の消費電力を低減できるダイバシティ受信機に関する。
【０００２】
【従来の技術】
上記空間ダイバシティ方式の受信機として、従来、例えば図４に示すようなＦＭワイヤレス・マイクロホン・システム用のダイバシティ受信機が知られている。同図に示すように、この受信機は、複数、例えば２本の受信アンテナ１、１ａを有しており、これら２本のアンテナ１、１ａにより、この受信機の通信相手である図示しない送信機から送られてくる電波を受信する。これら各アンテナ１、１ａは、それぞれ別系統の受信回路２、２ａの各アンテナ入力端子２０、２０ａに接続されている。
【０００３】
各受信回路２、２ａは、一般に知られているスーパーヘテロダイン方式のもので、それぞれ、上記各アンテナ入力端子２０、２０ａから入力される受信信号を、帯域制限フィルタ２１、２１ａによって帯域制限し、更に高周波（ＲＦ）増幅器２２、２２ａで増幅して得た信号が入力される混合器２３、２３ａを有している。これら各混合器２３、２３ａは、それぞれに入力される上記受信信号を、局部発振回路３の発振する局部発振信号と混合することにより中間周波（ＩＦ）信号に変換する。この変換により得られる各中間周波信号は、それぞれ中間周波増幅器２４、２４ａで増幅された後、検波回路２５、２５ａに供給される。各検波回路２５、２５ａは、それぞれに入力される上記各中間周波信号をＦＭ検波して可聴周波信号を再生し、これをバッファ増幅器２６、２６ａを介して、ダイバシティ切替スイッチ回路４に入力する。
【０００４】
ダイバシティ切替スイッチ回路４は、各受信回路２、２ａから入力される各可聴周波信号のうち、どちらか一方を選択して、これを図示しない低周波（ＡＦ）増幅器を介して図示しないスピーカに供給するように切り替わるもので、その切替動作は、ダイバシティ切替制御回路５によって制御される。切替制御回路５は、各受信回路２、２ａのうち、受信状態の良好な方から出力される可聴周波信号を選択するように、上記切替スイッチ回路４を制御する。これを実現するために、各受信回路２、２ａ毎に、それぞれの中間周波増幅器２４、２４ａから出力される各中間周波信号から各キャリア（搬送波）レベルを検出するキャリア（搬送波）検出回路２７、２７ａを設けている。そして、これら各キャリア（搬送波）検出回路２７、２７ａによって検出して得た例えば直流のキャリア検出信号を、切替制御回路５に入力している。そして、切替制御回路５は、上記各キャリア検出信号の各信号レベルを比較して、その信号レベル、即ちキャリアレベルの大きい方を受信状態の良好な受信信号とし、この信号を基に再生される可聴周波信号を選択するように、上記切替スイッチ回路４の切替動作を制御する。
【０００５】
このように、上記ダイバシティ受信機によれば、２本のアンテナ１、１ａで受信して得た各受信信号のうち、受信状態の良好な方の受信信号から再生される可聴周波信号が出力される。従って、フェージングの影響による例えば音切れ等の不具合の発生を軽減でき、通信の信頼性を向上させることができる。
【０００６】
なお、図４のダイバシティ受信機は、各受信回路２、２ａでそれぞれ可聴周波信号を再生し、これを切替スイッチ回路４で切り替えるという所謂オーディオダイバシティ方式の受信機である。これ以外に、ダイバシティ受信機には、可聴周波信号を再生する以前の信号、例えば高周波数帯の信号（例えば図４における高周波増幅器２２、２２ａの出力信号）を切り替えたり、或いは中間周波数帯の信号（例えば図４における中間周波増幅器２４、２４ａの出力信号）を切り替える方式の受信機がある。これらオーディオダイバシティ方式以外の受信機では、各受信回路の一部（例えば図４における混合器２３、２３ａ以降の回路、或いは検波回路２５、２５ａ以降の回路）を共有できるので、その分、上記オーディオダイバシティ方式の受信機に比べて、各受信回路の構成を簡素化できるという利点がある。
【０００７】
ただし、オーディオダイバシティ方式の受信機は、上記他の切替方式のダイバシティ受信機に比べて、各受信信号の受信状態を検出する際の検出方法が容易であり、また、信号の切り替え時に発生する所謂切替雑音が小さいことが知られている。このことから、オーディオダイバシティ方式の受信機は、上記ワイヤレス・マイクロホン・システムを初めとする様々な無線通信分野に広く採用されている。
【０００８】
【発明が解決しようとする課題】
しかし、上記図４のオーディオダイバシティ方式の受信機を含むダイバシティ受信機は、複数の受信回路を備えているので、その分（即ち、受信回路を１系統のみ有する所謂一般のシングル受信機に比べて）、受信機自体の消費電力が増加するという問題がある。特に、図４に示すようなオーディオダイバシティ方式の受信機は、略完全な２系統の受信回路２、２ａを有するので、上記他の切替方式のダイバシティ受信機に比べて、電力の消費が大きく、よって上記問題が顕著となる。また、この問題は、例えば蓄電池を電源とする受信機のように、電源容量が制限される受信機にとって、非常に重要な問題である。
【０００９】
なお、ダイバシティ受信機には、上記のように各受信回路の出力を切り替えるのではなく、各受信回路の出力を合成する方式の受信機もあるが、この合成方式のダイバシティ受信機においても、上記問題が生じることは言うまでもない。
【００１０】
そこで、本発明は、上記問題を解決するために、受信機の有する複数の受信回路を、常時動作させるのではなく、必要時にのみ、例えば通信相手である送信機側から電波が発射されたときにのみ動作させることによって、受信機自体の消費電力を低減できるダイバシティ受信機を提供することを目的とする。
【００１１】
【課題を解決するための手段】
上述した目的を達成するために、本発明のうちで請求項１に記載の発明は、それぞれのアンテナ入力端子から入力される受信信号にそれぞれ所定の処理を施してこの処理後の信号を出力する複数の受信回路と、これら各受信回路それぞれの出力信号が入力され、これら各出力信号を切替、詳しくは各出力信号のいずれかを選択または全てを合成して出力する信号出力部と、を備えたダイバシティ受信機において、
電源制御信号が与えられ、この電源制御信号に従って、上記全ての受信回路に対してそれぞれの駆動電源を供給する第１の状態と、上記各受信回路のうち少なくとも所定の例えば１つの受信回路に対してのみその駆動電源を供給し、この所定の受信回路以外の受信回路に対してはそれぞれの駆動電源を非供給とする第２の状態と、のいずれか一方の状態になる電源供給部と、
上記各受信信号の各信号レベルをそれぞれ検出するレベル検出部と、
このレベル検出部によって検出して得た各受信信号の各信号レベルと予め定めた基準レベルとを比較して、上記各受信信号のうち上記基準レベルよりもレベルの大きいものが少なくとも１以上あるとき、上記電源供給部を上記第１の状態とするよう上記電源制御信号を生成し、上記各受信信号の各信号レベルがいずれも上記基準レベル以下であるとき、上記電源供給部を上記第２の状態とするよう上記電源制御信号を生成する電源制御部と、
上記各受信信号のうち上記基準レベルよりもレベルの大きいものが１以上存在する状態から、上記各受信信号の各信号レベルが全て上記基準レベル以下になったとき、上記電源制御部が、上記電源制御信号として上記電源供給部を上記第１の状態とする信号を生成している状態から上記電源供給部を上記第２の状態とする信号を生成するのを所定の時間だけ遅延させる遅延手段と、
を具備し、
上記所定の時間内に、上記各受信信号の各信号レベルのうち少なくとも１以上のものが上記基準レベルを越えたとき、上記電源制御部が、上記電源制御信号として上記電源供給部を上記第１の状態とする信号を継続して生成する状態に構成された、ものである。
【００１２】
なお、ここで言う上記各受信回路による所定の処理とは、それぞれに入力される受信信号を、例えば増幅したり、或いは局部発振信号と混合して中間周波信号に変換したり、更には検波して可聴周波信号を再生したりする処理等のことを言う。また、上記基準レベルとは、例えば各受信回路にそれぞれ入力される各受信信号の各信号レベルが、この受信機の通信相手である送信機側から送られてくる電波を十分な感度で受信していると見なせるレベルであるか否かの判定基準となるレベルのことを言う。
【００１３】
例えば、今、本請求項１に記載の発明のダイバシティ受信機の通信相手である送信機が、電波を発射していない状態にあるとする。この場合、各受信回路に入力される各受信信号の信号レベルは、いずれも上記基準レベル以下であるので、電源制御部は、電源供給部を第２の状態とする電源制御信号を生成する。従って、送信機が電波を発射していないときは、各受信回路のうち、所定の受信回路のみに駆動電源が与えられ、この所定の受信回路のみが動作する。
【００１４】
ここで、上記送信機から電波が発射され、この電波を上記所定の受信回路のアンテナ入力端子に接続された受信アンテナが受信すると、この受信アンテナから所定の受信回路に入力される受信信号の信号レベルは、上記基準レベルよりも大きくなる。これにより、電源制御部は、上記送信機から電波が発射されたものと見なし、電源供給部を第１の状態とする電源制御信号を生成する。これによって初めて、全ての受信回路に対して駆動電源が与えられ、この受信機はダイバシティ受信機として動作する。
【００１５】
そして、上記送信機が電波の発射を停止すると、各受信回路に入力される各受信信号の信号レベルが全て上記基準レベル以下になるので、電源制御部は、再び電源供給部を第２の状態とする電源制御信号を生成する。これによって、各受信回路のうち、所定の受信回路のみに駆動電源が与えられ、他の受信回路への駆動電源の供給は停止される。
【００１６】
即ち、本請求項１に記載の発明の受信機によれば、送信機側から電波が発射されていない所謂受信待機中の状態にあるときは、各受信回路のうち所定の受信回路にのみ駆動電源が供給される。そして、送信機側から電波が発射されると、全ての受信回路に駆動電源が供給され、ダイバシティ受信機として動作する。
【００１８】
なお、今、送信機側から電波が発射されており、この電波を各受信回路（各受信アンテナ）が良好な状態で受信しているとする。この状態においては、受信機は、ダイバシティ受信機として動作している状態（即ち、各受信回路に入力される各受信信号のうち、上記基準レベルよりも大きいものが少なくとも１以上存在し、電源制御部が、電源供給部を第１の状態とする電源制御信号を生成している状態）にある。ここで、例えば一瞬、極端なフェージング等の影響により、全ての受信回路（受信アンテナ）で一斉に上記送信機側からの電波を受信できなくなったとする。この場合、全ての受信信号の各信号レベルが、一斉に上記基準レベル以下となる。ここで、例えば、電源制御部が、即座に、電源供給部を第２の状態とする電源制御信号を生成する、とすると、受信機は、短時間ではあるものの、ダイバシティ受信機として動作しなくなる、という不都合が生じる。
【００１９】
しかしながら、本請求項１に記載の発明の受信機によれば、遅延手段を設けているので、電源制御部は、電源供給部を第２の状態とする電源制御信号を即座には生成しない。そして、上記所定の時間内に、いずれかの受信回路（受信アンテナ）が送信機側からの電波を受信して、その受信信号の信号レベルが上記基準レベルを越えた場合、電源制御部は、電源制御信号として、電源供給部を第１の状態とする信号を生成し続け、電源供給部を第２状態とする信号は生成しない。従って、上記極端なフェージング等の影響により、全ての受信回路で電波を受信できなくなっても、それが比較的に短い時間（即ち上記所定の時間内）で解消される現象であれば、ダイバシティ受信機としての動作は途切れることなく継続される。
【００２０】
なお、上記所定の時間としては、例えば、上記極端なフェージング等の影響により全ての受信回路で電波を受信できなくなる時間よりも、若干長目の時間を設定すればよい。また、本請求項１に記載の発明の受信機によれば、実際に送信機側からの電波の発射が停止された場合には、その時点から上記所定の時間が経過した後に、ダイバシティ受信機として動作しなくなることは言うまでもない。
【００２１】
請求項２に記載の発明は、請求項１に記載の発明のダイバシティ受信機において、
上記ダイバシティ受信機が、上記信号出力部から出力される信号を処理する処理部を有し、
上記電源供給部が、上記第１の状態にあるとき、上記処理部に対してその駆動電源を供給し、上記第２の状態にあるとき、上記処理部に対してその駆動電源の一部または全部を非供給とする状態に構成されたものである。
【００２２】
なお、ここで言う上記処理部における処理とは、例えば、上記信号出力部から出力される信号が非可聴周波信号である場合、これを可聴周波信号に変換したり、更にはこの可聴周波信号を低周波増幅器で増幅した後、スピーカに供給したりする処理のことを言う。また、上記信号出力部から出力される信号が可聴周波信号である場合、例えば、この可聴周波信号を増幅した後、これをスピーカに供給する低周波増幅器が、上記処理部に対応する。
【００２３】
即ち、本請求項２に記載の発明の受信機によれば、送信機側から電波が発射されていない所謂受信待機中の状態にあるときは、処理部に対しても駆動電源が供給されない。そして、送信機側から電波が発射されて、全ての受信回路に対して駆動電源が供給されると同時に、処理部にも駆動電源が供給される。
【００２４】
請求項３に記載の発明は、請求項１または２に記載の発明のダイバシティ受信機において、
上記レベル検出部が、上記所定の受信回路に入力される上記受信信号の信号レベルを検出する際、この所定の受信回路の信号出力端部よりも上記アンテナ入力端子側の位置、即ち前段側で、上記受信信号の信号レベルを検出する状態に構成され、
上記電源供給部が、上記第２の状態にあるとき、上記所定の受信回路における上記レベル検出部による上記受信信号のレベル検出位置よりも該所定の受信回路の信号出力端部側、即ち後段側の部分に対しても、その駆動電源を非供給とする状態に構成されたものである。
【００２５】
本請求項３に記載の発明の受信機によれば、送信機側から電波が発射されていない受信待機中の状態にあるときには、所定の受信回路の一部に対しても、駆動電源が供給されなくなる。ただし、この駆動電源の供給が停止されるのは、所定の受信回路のうち、レベル検出部による受信信号のレベル検出位置よりも後段側の部分である。従って、このように所定の受信回路の一部に対する駆動電源の供給を停止しても、レベル検出部による所定の受信回路に入力される受信信号のレベル検出動作には、支障はない。
【００２６】
請求項４に記載の発明は、請求項１、２または３に記載の発明のダイバシティ受信機において、上記各受信回路が、それぞれ、上記アンテナ入力端子から入力される受信信号を可聴周波信号に変換し、この変換して得た可聴周波信号をそれぞれの出力信号として上記信号出力部に入力する状態に構成されたものである。
【００２７】
即ち、本請求項４に記載の発明の受信機は、各受信回路によりそれぞれ可聴周波信号を再生し、これら各可聴周波信号を切替または合成するという所謂上述したオーディオダイバシティ方式の受信機である。
【００２８】
請求項５に記載の発明は、請求項１、２または３に記載の発明のダイバシティ受信機において、上記各受信回路が、それぞれ、上記アンテナ入力端子から入力される受信信号を局部発振信号と混合して中間周波信号に変換する周波数変換部を備え、この周波数変換部によって変換して得た上記中間周波信号をそれぞれの出力信号として上記信号出力部に入力する状態に構成されたものである。
【００２９】
即ち、本請求項５に記載の発明の受信機は、スーパーヘテロダイン方式の回路構成を採用したもので、各受信回路に入力される各受信信号を、中間周波数帯で切替または合成する方式のダイバシティ受信機である。なお、各受信回路は、スーパーヘテロダイン構成のうち、各アンテナ入力端子から入力される各受信信号をそれぞれ中間周波信号に変換するまでの部分を備えており、これ以外の部分、例えば各受信回路（周波数変換部）で変換して得た中間周波信号を検波する検波回路等については、各受信回路に共通のものが例えば１つだけ設けられる。
【００３０】
請求項６に記載の発明は、請求項１、２または３に記載の発明のダイバシティ受信機において、上記各受信回路が、それぞれ、上記アンテナ入力端子から入力される受信信号を局部発振信号と混合して中間周波信号に変換する周波数変換部と、上記中間周波信号を検波して可聴周波信号を出力する検波部とを備え、この検波部によって検波して得た上記可聴周波信号をそれぞれの出力信号として上記信号出力部に入力する状態に構成されたものである。
【００３１】
即ち、本請求項６に記載の発明の受信機は、上述したオーディオダイバシティ方式の受信機において、各受信回路を、それぞれ独立したスーパーヘテロダイン構成としたものである。
【００３２】
請求項７に記載の発明は、請求項１、２または３に記載の発明のダイバシティ受信機において、上記各受信回路が、それぞれ、上記アンテナ入力端子から入力される受信信号を増幅する高周波増幅部を備え、この高周波増幅部によって増幅して得た信号をそれぞれの出力信号として上記信号出力部に入力する状態に構成されたものである。
【００３３】
即ち、本請求項７に記載の発明の受信機は、各受信回路に入力される各受信信号を、高周波数帯で切替または合成する方式のダイバシティ受信機である。なお、この切替または合成された後の高周波信号は、各受信回路に共通の回路で処理され、これによって可聴周波信号が再生される。
【００３４】
【発明の実施の形態】
本発明に係るダイバシティ受信機の一実施の形態について、図１から図３を参照して説明する。
【００３５】
図１は、本実施の形態の概略構成を示すブロック図である。同図に示すように、この受信機は、上述した図４に示す従来のオーディオダイバシティ方式の受信機に対して、更に電源制御回路６と電源スイッチ回路７とを設けた構成のものである。このうち、電源制御回路６は、各キャリア検出回路２７、２７ａから出力される各キャリア検出信号に基づいて、後述する電源制御信号を生成するものである。そして、電源スイッチ回路７は、各受信回路２、２ａのうちの一方、例えば受信回路２ａと、この受信回路２ａを駆動するための駆動電源を生成する図示しない電源回路と、を結ぶ電源供給路中に設けられており、この電源供給路を、上記電源制御信号に従って開閉するものである。なお、これ以外の構成については、上記図４の受信機と同様であるので、上記図４と同等な部分については、同一の符号を付して、その詳細な説明を省略する。
【００３６】
ところで、上記電源制御回路６は、次のように動作する。例えば、この受信機の通信相手である図示しない送信機側から電波が発射されておらず、各キャリア検出回路２７、２７ａの出力する各キャリア検出信号の信号レベルが略零であるとき、電源制御回路６は、上記電源制御信号として、電源スイッチ回路７を開放（ＯＦＦ）する信号を生成する。これによって、受信回路２ａには、その駆動電源が供給されず、詳しくは、同図に点線で示すように、高周波増幅器２２ａ、混合器２３ａ、中間周波増幅器２４ａ、検波回路２５ａ、バッファ増幅器２６ａ及びキャリア検出回路２７ａには、それぞれの駆動電源が供給されない。従って、この受信機が、送信機側からの電波を受信していない所謂受信待機中のときには、受信回路２のみが動作している状態にあり、即ちシングル受信機と略同様な状態にある。
【００３７】
ここで、送信機側から電波が発射されて、この電波を上記受信回路２側の受信アンテナ１で受信したとする。そして、受信回路２側のキャリア検出回路２７から出力されるキャリア検出信号の信号レベルが、或る程度のレベル、例えば上記電波を十分な感度で受信したと見なすことのできるレベルに達したとすると、電源制御回路６は、電源スイッチ回路７を閉成（ＯＮ）する電源制御信号を生成する。これにより、受信回路２ａにも、駆動電源が供給され、これ以降、受信機は、通常の（即ち、上述した図４の受信機と同様の）ダイバシティ受信機として動作する。
【００３８】
そして、送信機側からの電波の発射が停止されて、各キャリア検出回路２７、２７ａから出力される各キャリア検出信号の信号レベルが、低下して略零になったとする。このように、各キャリア検出信号の信号レベルが両方とも略零になった場合、電源制御回路６は、電源スイッチ回路７をＯＦＦする電源制御信号を生成して、受信回路２ａへの駆動電源の供給を停止する。これにより、受信機は、ダイバシティ受信機としての動作を停止して、上記と同様の受信待機状態となる。
【００３９】
なお、送信機側から電波が発射されているにも係わらず、例えば極端なフェージング等の影響により、一瞬、全ての受信アンテナ１、１ａで一斉に上記送信機側からの電波を受信できなくなって、各キャリア検出回路２７、２７ａから出力される各キャリア検出信号の信号レベルが略零になることがある。この場合、例えば、上記各キャリア検出信号が略零になった時点で、即座に電源スイッチ回路７をＯＦＦする（即ち受信回路２ａへの駆動電源の供給を停止する）よう電源制御回路６を構成すると、短時間ではあるものの、受信機がダイバシティ受信機として動作しなくなるという不都合が生じる。
【００４０】
そこで、本実施の形態では、各キャリア検出信号の各信号レベルが共に略零になっても、その時点から所定の時間ｔD を経過しない限り、電源スイッチ回路７をＯＦＦしないように、電源制御回路６を構成している。そして、上記所定の時間ｔD 内に、各キャリア検出信号の少なくとも一方の信号レベルが、或る程度のレベル（即ち、送信機からの電波を十分な感度で受信したと見なすことのできるレベル）にまで達した場合には、上記所定の時間ｔD 経過後も、電源スイッチ回路７のＯＮ状態を継続するように（詳しくは、ＯＮする電源制御信号を生成し続けるように）電源制御回路６を構成している。
【００４１】
このように構成しているので、上記極端なフェージング等の影響により、各受信アンテナ１、１ａで一斉に送信機側からの電波を受信できなくなっても、この現象が比較的に短時間、即ち上記所定の時間ｔD 内で解消されれば、ダイバシティ受信機としての動作は途切れることなく継続される。よって、上記フェージング等の影響により、ダイバシティ受信機としての動作が中断されるのを防止できる。
【００４２】
なお、上記所定の時間ｔD については、このダイバシティ受信機が、例えば８００ＭＨｚ帯のワイヤレス・マイクロホン・システム用のものである場合、経験上、ｔD ＝数秒乃至十数秒程度とすれば、大抵のフェージングの影響を回避できると思われる。なお、このように所定の時間ｔD を設けた場合、実際に送信機側からの電波の発射が停止されたときに、その時点から電源スイッチ回路７がＯＦＦされるまでの間に、上記所定の時間ｔD が掛かることは言うまでもない。
【００４３】
ここで、上記電源制御回路６の動作を実現するための、この電源制御回路６の回路構成例を、図２に示す。同図に示すように、この電源制御回路６では、各キャリア検出回路２７、２７ａから出力される各キャリア検出信号を、まず、比較（コンパレータ）回路６１、６２にそれぞれ入力する。これらの比較回路６１、６２は、それぞれに入力される各キャリア検出信号の信号レベルと、或る基準レベルＶTHとを比較して、各キャリア検出信号の信号レベルが上記基準レベルＶTHよりも大きいか否かにより、各キャリア検出信号を２値化する。なお、上記基準レベルＶTHとしては、例えば、各キャリア検出信号の信号レベルが、送信機側から送られてくる電波を十分な感度で受信していると見なすことのできるレベルであるか否かの判定基準となる電圧値が設定される。
【００４４】
即ち、各比較回路６１、６２は、それぞれに入力されるキャリア検出信号の信号レベルが基準レベルＶTHよりも大きいときには、それぞれに対応する受信回路２、２ａ（受信アンテナ１、１ａ）が送信機側から送られてくる電波を十分な感度で受信しているものと見なして、Ｈ（ハイ）レベルの信号を出力する。一方、各キャリア検出信号の信号レベルが基準レベルＶTH以下の場合、各比較回路６１、６２は、それぞれに対応する受信回路２、２ａ（受信アンテナ１、１ａ）が送信機側から送られてくる電波を十分な感度で受信していないか、若しくは送信機側から電波が発射されていないものと見なして、Ｌ（ロー）レベルの信号を出力する。
【００４５】
そして、これら各比較回路６１、６２の各出力を、論理和（ＯＲ）回路６３によって論理和演算し、更に、この論理和回路６３の出力と、この論理和回路６３の出力を遅延回路６４により上記所定の時間ｔD だけ遅延させた信号とを、別の論理和回路６５によって論理和演算する。そして、この論理和回路６５の出力信号を、上述した電源制御信号として、電源スイッチ回路７に入力する。電源スイッチ回路７は、上記電源制御信号が、ＨレベルのときにＯＮして、受信回路２ａに駆動電源を供給する。一方、電源制御信号が、Ｌレベルのとき、電源スイッチ回路７はＯＦＦして、受信回路２ａへの駆動電源の供給を停止する。
【００４６】
上記電源制御回路６の動作の一例を、図３に示す。なお、同図は、上記図２において、各丸付き数字でそれぞれ示す部分の各波形図を表す図である。
【００４７】
同図において、時刻ｔ0 の時点では、未だ送信機側から電波が発射されていない状態にあるとする。この状態では、受信回路２側のキャリア検出信号▲１▼の信号レベルは、略零である。また、受信回路２ａは、これに駆動電源が供給されていない状態にあるので、この受信回路２ａ側のキャリア検出信号▲４▼の信号レベルも、略零である。従って、各キャリア検出信号▲１▼、▲４▼をそれぞれ比較回路６１、６２によって２値化して得た信号▲２▼、▲５▼、及びこれら各信号▲２▼、▲５▼を論理和回路６３で論理和演算した後の信号▲６▼、更に、この信号▲６▼とこれを遅延回路６４によって遅延した後の信号▲７▼とを論理和回路６５で論理和演算して得た電源制御信号▲３▼の各信号レベルは、いずれもＬレベルとなる。
【００４８】
そして、時刻ｔ1 において、送信機側から電波が発射され、この電波を受信回路２側の受信アンテナ１が十分な感度で受信したとする。これにより、受信回路２側のキャリア検出信号▲１▼の信号レベルが、一気に上述した基準レベルＶTHを越えて、比較回路６１の出力▲２▼がＨレベルになる。そして、電源制御信号▲３▼の信号レベルがＨレベルになり、これによって、受信回路２ａ側に駆動電源が供給される。この時点で、受信回路２ａ側の受信アンテナ１ａが、上記電波を十分な感度で受信したとすると、この受信回路２ａ側のキャリア検出信号▲４▼の信号レベルも上記基準レベルＶTHを越えて、比較回路６２の出力▲５▼がＨレベルになる。そして、これ以降、受信機は、ダイバシティ受信機として動作する。なお、同図においては、上記時刻ｔ1 の時点で、受信回路２側のキャリア検出信号▲１▼の信号レベルが基準レベルＶTHを越えると同時に、受信回路２ａ側のキャリア検出信号▲４▼の信号レベルも基準レベルＶTHを越えるように記載しているが、実際には、これら各キャリア検出信号▲１▼及び▲４▼の立ち上がりには時間的な差がある（詳しくは、受信回路２ａ側のキャリア検出信号▲４▼は、受信回路２側のキャリア検出信号▲１▼よりも若干遅れて立ち上がる）ことは言うまでもない。
【００４９】
上記のように、本実施の形態の受信機がダイバシティ受信機として動作している状態にあるときには、例えばフェージング等の影響により、同図の時刻ｔ2 や時刻ｔ3 における各キャリア検出信号▲１▼、▲４▼のように、どちらか一方の信号レベルが基準レベルＶTH以下になったとしても、上記電源制御信号▲３▼のＨレベル状態、即ちダイバシティ受信機としての動作は保たれる。
【００５０】
また、同図の時刻ｔ4 において、例えば極端なフェージング等の影響により、一瞬（時間ｔF だけ）、各キャリア検出信号▲１▼及び▲４▼の各信号レベルが、略同時に基準レベルＶTH以下になったとする。しかし、この電源制御回路６によれば、上記遅延回路６４を設けているので、電源制御信号▲３▼は、直ちにＬレベルにはならない。そして、この極端なフェージングによる現象が、上記遅延回路６４による遅延時間ｔD 以内に解消されれば（即ちｔF ≦ｔD であれば）、電源制御信号▲３▼のＨレベル状態は保たれる。
【００５１】
そして、同図の時刻ｔ5 において、送信機側からの電波の発射が停止されると、各キャリア検出信号▲１▼及び▲４▼の各信号レベルが、共に、略零となる。そして、この時刻ｔ5 から上記遅延回路６４による遅延時間ｔD を経過した後に、電源制御信号▲３▼がＬレベルとなり、これによって受信回路２ａへの駆動電源の供給が停止される。
【００５２】
以上のように、本実施の形態によれば、送信機側から電波が発射されていない所謂受信待機中のときは、受信回路２にのみ駆動電源が供給され、受信回路２ａへの駆動電源の供給が停止される。従って、受信待機中における受信機の消費電力（即ち、一般に待機電力と呼ばれている電力）を大幅に低減でき、ひいては受信機全体の消費電力を抑制できる。なお、受信回路２（受信アンテナ１）が送信機側からの電波を受信した場合には、受信回路２ａにも自動的に駆動電源が供給されるので、ダイバシティ受信機としての通信の信頼性を確保できる。
【００５３】
なお、本実施の形態においては、ＦＭワイヤレス・マイクロホン・システム用の受信機に本発明を応用する場合について説明したが、他の無線システムにも、本発明を応用できる。
【００５４】
また、本実施の形態では、各受信回路２、２ａを、スーパーヘテロダイン構成とし、それぞれで可聴周波信号を再生した後、これを切り替えるというオーディオダイバシティ方式の受信機を例に挙げて説明したが、これに限らない。例えば、各受信回路２、２ａにおいて、可聴周波信号を再生する以前の信号、例えば高周波数帯の信号（例えば図１における高周波増幅器２２、２２ａの出力信号）を切り替えたり、或いは中間周波数帯の信号（例えば図１における中間周波増幅器２４、２４ａの出力信号）を切り替える方式等の受信機に、本発明を適用してもよい。ただし、これら高周波数帯や中間周波数帯で信号の切り替えを行う方式の受信機に比べて、本実施の形態のように、可聴周波数帯の信号を切り替えるオーディオダイバシティ方式の方が、本発明の効果が顕著に現れることは言うまでもない。
【００５５】
そして、可聴周波信号を切り替えるのではなく、これら各可聴周波信号を合成して出力する方式のダイバシティ受信機にも、本発明を応用できる。
【００５６】
また、本実施の形態では、２つの受信回路２、２ａを備えたダイバシティ受信機について説明したが、受信回路を３以上備えたダイバシティ受信機にも、本発明を応用できる。
【００５７】
更に、送信機側から送られてくる電波を各受信回路２、２ａ（受信アンテナ１、１ａ）によって十分な感度で受信できているか否かを検出するのに、それぞれのキャリアを検出する方法を用いたが、これに限らない。即ち、電波の受信状態（感度）を検出できるのであれば、例えば、受信信号に含まれるノイズのレベルやトーン信号のレベルを検出する等、他の検出手段を用いてもよい。ただし、本実施の形態では、上記キャリアを検出するのに、本来、各キャリア検出回路２７、２７ａから切替制御回路５に与えられるキャリア検出信号を流用しているので、本発明の実現のために上記受信状態を検出する手段を別途設ける必要はない。
【００５８】
また、本実施の形態では、電源スイッチ回路６をＯＦＦすることによって駆動電源の供給を停止する対象を、受信回路２ａを構成する略全ての回路、即ち高周波増幅器２２ａ、混合器２３ａ、中間周波増幅器２４ａ、検波回路２５ａ、バッファ増幅器２６ａ及びキャリア検出回路２７ａとしたが、これに限らない。例えば、受信回路２ａを構成する一部の回路に対してのみ、駆動電源の供給を停止するよう構成してもよい。
【００５９】
そして、電源スイッチ回路６をＯＦＦすることにより、受信回路２ａ以外にも、例えば、切替スイッチ回路４よりも後段の図示しない低周波増幅器等の他の回路に対しても、その駆動電源の供給を停止するよう構成してもよい。このように構成すれば、受信待機中における電力消費を更に低減できる。
【００６０】
更に、電源スイッチ回路６をＯＦＦすることにより、受信回路２の一部、詳しくは、キャリア検出回路２７によるキャリア検出部分よりも後段にある検波回路２５及びバッファ増幅器２６に対しても、その駆動電源の供給を停止するよう構成してもよい。このように構成すれば、受信待機中における電力消費を、より一層低減できる。なお、このように、検波回路２５及びバッファ増幅器２６に対する駆動電源の供給を停止しても、これらよりも前段側にある各回路（高周波増幅器２２、混合器２３及び中間周波増幅器２４）への駆動電源の供給を停止しない限り、キャリア検出回路２７による受信回路２側のキャリア検出動作に支障を来すことはない。
【００６１】
また、上記によれば、例えば、各高周波増幅器２２、２２ａの各出力信号からも、各受信回路２、２ａ（受信アンテナ１、１ａ）による各受信感度を検出することができる。この場合、電源スイッチ回路６をＯＦＦしたときに、受信回路２側の高周波増幅器２２よりも後段にある各回路（混合器２３、中間周波増幅器２４、検波回路２５及びバッファ増幅器２６）に対しても、それぞれの駆動電源の供給を停止するよう構成すれば、より一層の低消費電力化を実現できる。
【００６２】
そして、電源制御回路６については、図２のように構成したが、本実施の形態と同様の作用及び効果を奏するのであれば、これに限らない。例えば、ＣＰＵ（中央演算処理装置）を用いて各キャリア検出信号をソフトウェア的に処理する等、図２とは別の回路構成により電源制御回路６を実現してもよい。
【００６３】
なお、本実施の形態における電源スイッチ回路７と、この電源スイッチ回路７のＯＮ／ＯＦＦ動作により受信回路２ａへの駆動電源を供給する図示しない電源回路とが、特許請求の範囲に記載の電源供給部に対応する。そして、上記電源スイッチ回路７のＯＮ状態が、特許請求の範囲に記載の第１の状態に対応し、電源スイッチ回路７のＯＦＦ状態が、特許請求の範囲に記載の第２の状態に対応する。
【００６４】
そして、本実施の形態におけるキャリア検出回路２７、２７ａが、特許請求の範囲に記載のレベル検出部に対応し、電源制御回路６が、特許請求の範囲に記載の電源制御部に対応する。また、この電源制御回路６内に設けられた遅延回路６４が、特許請求の範囲に記載の遅延手段に対応する。
【００６５】
【発明の効果】
上記のように、本発明のうち請求項１に記載の発明のダイバシティ受信機によれば、通信相手である送信機側から電波が発射されていない所謂受信待機中の状態にあるときは、各受信回路のうち所定の受信回路にのみ駆動電源が供給される。従って、受信待機中における受信機の消費電力を大幅に低減でき、ひいては受信機全体の消費電力を抑制できるという効果がある。この効果は、蓄電池を電源とする受信機のように、電源容量が制限される受信機にとって、非常に有効である。そして、特に、オーディオダイバシティ方式の受信機のように、略完全な複数系統の受信回路を有する受信機においては、上記効果が顕著に現れる。なお、送信機側から送られてくる電波を実際に受信する場合には、自動的に通常のダイバシティ受信機としての動作に切り替わるので、無線通信における高い信頼性を確保できる。
【００６６】
また、例えば、送信機側から電波が発射されているにも係わらず、全ての受信回路において、フェージング等の影響により上記電波を一斉に受信できなくなったとしても、その現象が比較的に短い時間で解消されれば、ダイバシティ受信機としての動作は途切れることなく継続される。従って、上記フェージング等の影響により、不本意に、ダイバシティ受信機としての動作が停止するのを防止できるという効果がある。
【００６７】
請求項２に記載の発明のダイバシティ受信機によれば、送信機側から電波が発射されていない受信待機中の状態にあるときには、各受信回路以外の処理部に対しても、その駆動電源の供給が停止される。従って、この受信待機中における受信機の消費電力を更に低減でき、ひいては受信機全体の消費電力を更に抑制できるという効果がある。
【００６８】
請求項３に記載の発明のダイバシティ受信機によれば、送信機側から電波が発射されていない受信待機中の状態にあるときには、所定の受信回路の一部に対しても、その駆動電源の供給が停止される。従って、この受信待機中における受信機の消費電力を更に低減でき、ひいては受信機全体の消費電力を更に抑制できるという効果がある。
【００６９】
請求項４に記載の発明は、各受信回路によりそれぞれ可聴周波信号を再生し、これら各可聴周波信号を切替または合成するオーディオダイバシティ方式の受信機に、上記請求項１、２または３に記載の発明を応用したものである。従って、オーディオダイバシティ方式の受信機において、上記請求項１、２または３に記載の発明と同様の効果を奏する。
【００７０】
請求項５に記載の発明は、各受信回路に入力される各受信信号を、中間周波数帯で切替または合成する方式のダイバシティ受信機に、上記請求項１、２または３に記載の発明を応用したものである。従って、このように中間周波数帯で各受信信号を切替または合成する方式のダイバシティ方式の受信機において、上記請求項１、２または３に記載の発明と同様の効果を奏する。
【００７１】
請求項６に記載の発明は、各受信回路を、それぞれ独立したスーパーヘテロダイン構成としたオーディオダイバシティ方式の受信機に、上記請求項１、２または３に記載の発明を応用したものである。従って、このように各受信回路にスーパーヘテロダイン構成を採用したオーディオダイバシティ方式の受信機において、上記請求項１、２または３に記載の発明と同様の効果を奏する。
【００７２】
請求項７に記載の発明は、各受信回路に入力される各受信信号を、高周波数帯で切替または合成する方式のダイバシティ受信機に、上記請求項１、２または３に記載の発明を応用したものである。従って、このように高周波数帯で各受信信号を切替または合成する方式のダイバシティ方式の受信機において、上記請求項１、２または３に記載の発明と同様の効果を奏する。
【図面の簡単な説明】
【図１】本発明に係るダイバシティ受信機の一実施の形態を示す概略ブロック図である。
【図２】同実施の形態における電源制御回路の詳細図である。
【図３】図２に示す回路の動作の一例を示すタイミングチャート図である。
【図４】従来のダイバシティ受信機の概略ブロック図である。
【符号の説明】
１、１ａ  アンテナ
２、２ａ  受信回路
６  電源制御回路
７  電源スイッチ回路
【図１】
0003662113.tif 000002
【図２】
0003662113.tif 000003
【図３】
0003662113.tif 000004
【図４】
0003662113.tif 000005